(57)【要約】【課題】ウインドスクリーンの振動を低減可能な自動二輪車等のレジャービークルを提供する。【解決手段】自動二輪車１は、車体の前部とウインドスクリーン２１の下縁との間に形成されて、ウインドスクリーン２１の背面と車体との間の領域４４に走行風を導入させる導風口４３を有する。第１の自動二輪車１は、領域４４内に設けられて領域４４内の気流を整流するダンパ４５を有する。第２の自動二輪車１は、導風口４３の近傍に導風口４３の開口面積を狭めるようにして設けられたブロッカ１４５を有している。第３の自動二輪車１は、上昇時の導風口４３の開口面積が下降時の開口面積よりも狭くなるようにウインドスクリーン２１を昇降させるスクリーン昇降装置３０を有する。【選択図】図２
2008265625.tif 000002
【特許請求の範囲】
【請求項１】
車体の前部にて後傾するようにして立設されたウインドスクリーンを備えるレジャービークルにおいて、
前記車体の前部と前記ウインドスクリーンの下縁との間に形成され、前記ウインドスクリーンの背面と前記車体との間の領域に走行風を導入させる導風口と、
前記領域内に設けられて該領域内の気流を整流する整流部と、を有するレジャービークル。
【請求項２】
前記ウインドスクリーンと前記車体との上下方向における対向間隔が、前記領域の後側に向かうに連れて大きくなっており、
前記整流部は、前記ウインドスクリーン及び前記車体の一方に設けられ、前記ウインドスクリーン及び前記車体の他方に向かって突出している請求項１記載のレジャービークル。
【請求項３】
前記整流部における少なくとも前記ウインドスクリーン及び前記車体の他方と対向する部分が、弾性体からなる請求項２記載のレジャービークル。
【請求項４】
前記整流部は、左右一対となっており、前記領域内の気流を前記領域における左右中央側へと導くように整流する請求項１乃至３の何れか記載のレジャービークル。
【請求項５】
前記整流部における少なくとも前端部が先細りとなっている請求項１乃至４の何れか記載のレジャービークル。
【請求項６】
車体の前部にて後傾するようにして立設されたウインドスクリーンを備えるレジャービークルにおいて、
前記車体の前部と前記ウインドスクリーンの下縁との間に形成され、前記ウインドスクリーンの背面と前記車体との間の領域に走行風を導入させる導風口と、
前記導風口の近傍に前記導風口の開口面積を狭めるようにして設けられた遮蔽部と、を有するレジャービークル。
【請求項７】
前記整流部又は前記遮蔽部の突出高さが可変である請求項１乃至６の何れか記載のレジャービークル。
【請求項８】
前記ウインドスクリーンを昇降させるスクリーン昇降装置と、前記ウインドスクリーンと前記整流部又は前記遮蔽部とを連結するリンク部材とを有し、
前記スクリーン昇降装置が作動して前記ウインドスクリーンが昇降することにより、前記リンク部材を介して連結される前記整流部又は前記遮蔽部が上下動する請求項７記載のレジャービークル。
【請求項９】
車体の前部にて後傾するようにして立設されたウインドスクリーンを備えるレジャービークルにおいて、
前記車体の前部と前記ウインドスクリーンの下縁との間に形成され、前記ウインドスクリーンの背面と前記車体との間の領域に走行風を導入させる導風口と、
上昇時の前記導風口の開口面積が下降時の開口面積よりも狭くなるように前記ウインドスクリーンを昇降させるスクリーン昇降装置と、を有するレジャービークル。
【請求項１０】
前記ウインドスクリーンに重りが取り付けられている請求項１乃至９の何れか記載のレジャービークル。
【請求項１１】
車体の前部にて後傾するようにして立設されたウインドスクリーンを備えるレジャービークルにおいて、
前記ウインドスクリーン及び前記車体に、前記ウインドスクリーンと前記車体とを互いに吸引させる吸引手段を有するレジャービークル。
【発明の詳細な説明】
【技術分野】
【０００１】
本発明は、自動二輪車、不整地走行車、多目的軽量走行車両或いは小型滑走艇等のレジャービークルに関し、特に、車体の前部に設けられたウインドスクリーンを備えるレジャービークルに関する。
【背景技術】
【０００２】
このようなレジャービークルでは、運転者が外部に開放された状態で走行を行っている。このため、従来のレジャービークルでは、運転者を走行風圧から防護すべく、車体の前部に透明なウインドスクリーンを備えたものが知られている。一般にウインドスクリーンは、前方からの走行風による空気抵抗を低減するため、後傾するようにして立設されている。ウインドスクリーンに吹き付けられた走行風は、ウインドスクリーンの正面に沿って斜め後上方へと流れ、更にウインドスクリーンの背面側に着座している運転者の上方を後方へと流れていく。運転者は、外部に開放されているもののウインドスクリーンの背面側にて風圧から逃れ、ウインドスクリーン越しに前方を見ながら運転することができる。
【０００３】
但し、ウインドスクリーンにより走行風が完全に遮られてしまうと、運転者が後側から前側へ押されるような力を受けることがあり、通常は風によって前側から後側へと押されることに慣れた運転者にとっては、この逆向きの力に対して違和感を覚えることがある。
【０００４】
特許文献１に開示されている自動二輪車では、この課題を解決すべく、ウインドスクリーンの下縁と車体との間に導風口が形成されている。この構成により、走行風が導風口を通ってウインドスクリーンの背面側にも流れるようになり、前述した違和感をなくすことができる。また、特許文献１に開示されている自動二輪車では、ウインドスクリーンの立設高さと後傾角度とが調整可能になっており、ウインドスクリーンの後傾角度を上げて走行風をより遮ることになるウインドスクリーンを上動させたときに、導風口の開口面積が拡大されるように構成されている。この構成により、ウインドスクリーン上動時であっても、後側から前側へ押す力の発生を抑えることができる。
【特許文献１】特開２００２−８７３５５号公報
【発明の開示】
【発明が解決しようとする課題】
【０００５】
このように導風口を通った走行風は、ウインドスクリーンの背面と車体の前部との間の領域（以下、背面領域とも称する）を流路とし、この背面領域内を拡散するようにして左右外側へと流れつつ後側へと流れていく。前述したようにウインドスクリーンは、一般に後傾するようにして立設されており、ウインドスクリーンと車体との上下対向間隔は、背面領域の後側に向かうに連れて大きくなっている。このように走行風の風下側の流路断面積が風上側よりも大きい場合には、背面領域内での気流が乱れ易くなる。その結果として、ウインドスクリーンの振動（バタツキ）を招く虞があった。
【０００６】
本発明は、このような課題を解決すべくなされたものであり、ウインドスクリーンの振動を低減可能なレジャービークルを提供することを目的としている。
【課題を解決するための手段】
【０００７】
前記目的を達成すべく、本発明に係るレジャービークルは、車体の前部にて後傾するようにして立設されたウインドスクリーンを備えるレジャービークルにおいて、前記車体の前部と前記ウインドスクリーンの下縁との間に形成され、前記ウインドスクリーンの背面と前記車体との間の領域に走行風を導入させる導風口と、前記領域内に設けられて該領域内の気流を整流する整流部とを有する。
【０００８】
前記構成によれば、ウインドスクリーンの背面と車体との間の領域内の気流が整流部により整流され、該領域内での気流の乱れが軽減する。従って、ウインドスクリーンの振動を抑えることができる。
【０００９】
また、前記ウインドスクリーンと前記車体との上下方向における対向間隔を、前記領域の後側に向かうに連れて大きくし、前記整流部が、前記ウインドスクリーン及び前記車体の一方に設けられ、前記ウインドスクリーン及び前記車体の他方に向かって突出していてもよい。これにより、前記領域内に導入する走行風の流路断面積が、風下側となる後側に向かうに連れて大きくなっており、気流が乱れ易くなっている。ここで、整流部は、ウインドスクリーン及び車体の一方に設けられてその他方に向かって突出している。このため、整流部が設けられている部分において走行風の流路断面積が小さくなり、前記領域内での気流の乱れが軽減する。
【００１０】
また、前記整流部における少なくとも前記ウインドスクリーン及び前記車体の他方と対向する部分が、弾性体であってもよい。これにより、たとえウインドスクリーンが振動して整流部がウインドスクリーン或いは車体と接触しても、弾性体により接触の衝撃が吸収される。このため、ウインドスクリーン或いは車体が保護されると共に、騒音が発生しにくくなる。
【００１１】
また、前記整流部が、左右一対となっており、前記領域内の気流を左右中央側へと導くように整流するようにしてもよい。
【００１２】
前記構成によれば、左右外側へと流れていく気流上に整流部が配置され、前記領域の左右中央部分に横たわるようにして整流部を設けた場合と比べ、左右中央側へと導くように整流する構造を容易に実現することができる。このように走行風が左右中央側へと流れることにより、走行風はスムーズに領域内を後側へと抜け、気流の乱れが抑えられる。
【００１３】
また、前記整流部における少なくとも前端部が、先細りとなっていてもよい。そうすれば、導風口を通って前記領域内を左右外側に流れる走行風は、整流部の前端に到達すると整流部の側面に沿って整流部の後端にスムーズに導かれる。このようにして、導風口から左右中央側且つ後側に向かう気流を形成することができる。
【００１４】
また、本発明に係るレジャービークルは、車体の前部にて後傾するようにして立設されたウインドスクリーンを備えるレジャービークルにおいて、前記車体の前部と前記ウインドスクリーンの下縁との間に形成される導風口と、前記導風口の近傍に前記導風口の開口面積を狭めるようにして設けられた遮蔽部とを有する。
【００１５】
前記構成によれば、走行風が遮蔽部により遮蔽され、ウインドスクリーンの背面と車体との間の領域内に導入されにくくなり、該領域内での気流の乱れが軽減する。従って、ウインドスクリーンの振動が抑えられる。
【００１６】
また、前記整流部又は前記遮蔽部の突出高さを可変にしてもよい。そうすれば、整流部又は遮蔽部の突出高さが高くなるに連れて走行風の流路断面積を小さくし、走行風の流量を制限することができ、ウインドスクリーンの振動を低減することができるようになる。
【００１７】
また、前記ウインドスクリーンを昇降させるスクリーン昇降装置と、前記ウインドスクリーンと前記整流部又は遮蔽部とを連結するリンク部材とを有し、前記スクリーン昇降装置が作動して前記ウインドスクリーンが昇降することにより、前記リンク部材を介して連結される前記整流部又は遮蔽部が上下動するようにしてもよい。これにより、前述した整流部又は遮蔽部の突出高さを可変にする構造を容易に実現することができる。
【００１８】
また、本発明に係るレジャービークルは、車体の前部にて後傾するようにして立設されたウインドスクリーンを備えるレジャービークルにおいて、前記車体の前部と前記ウインドスクリーンの下縁との間に形成され、前記ウインドスクリーンの背面と前記車体との間の領域に走行風を導入させる導風口と、上昇時の前記導風口の開口面積が下降時の開口面積よりも狭くなるように前記ウインドスクリーンを昇降させるスクリーン昇降装置とを有する。
【００１９】
前記構成によれば、ウインドスクリーンを上下動させて導風口の開口面積を変化させることにより、走行速度に関わらずウインドスクリーンの背面と車体との間の領域内に導入される走行風の流量をほぼ一定に保つことができるようになる。従って、ウインドスクリーンの位置を上下動させて該領域内で気流の乱れの発生を抑えることができ、ウインドスクリーンの振動が抑えられる。
【００２０】
また、前記ウインドスクリーンに重りが取り付けられた場合には、振動が生じ易い部分の慣性重量を容易に変更してウインドスクリーンの剛性を高めることができ、ウインドスクリーンの振動を抑えることができる。
【００２１】
また、本発明に係るレジャービークルは、車体の前部にて後傾するようにして立設されたウインドスクリーンを備えるレジャービークルにおいて、前記ウインドスクリーン及び前記車体に、前記ウインドスクリーンと前記車体とを互いに吸引させる吸引手段を有する。
【００２２】
前記構成によれば、吸引手段の作用によりウインドスクリーンと車体とが互いに吸引されるが、この吸引力がウインドスクリーンを振動させようとする外力に抗し、ウインドスクリーンの振動が抑えられる。
【発明の効果】
【００２３】
このように、本発明によれば、ウインドスクリーンの背面と車体の前部との間の領域内における気流の乱れが低減され、ウインドスクリーンの振動が低減される。
【発明を実施するための最良の形態】
【００２４】
以下、図面を参照しながら、本発明の実施形態について、レジャービークルの一種である自動二輪車を例に挙げて説明する。なお、以下の説明で用いる方向の概念は、自動二輪車に搭乗したライダ（図示せず）から見た方向を基準としている。
【００２５】
図１は、第１実施形態の自動二輪車１の左側面図である。図１に示すように、自動二輪車１は、前輪２と後輪３とを備えている。前輪２は、略上下方向に延びるフロントフォーク４の下端部にて回転自在に支持されている。フロントフォーク４は、その上端部に設けられたアッパーブラケット（図示せず）と、このアッパーブラケットの下方に設けられたアンダーブラケット（図示せず）とを介してステアリングシャフト（図示せず）に支持されている。ステアリングシャフトは、ヘッドパイプ５によって回動自在に支持されている。アッパーブラケットには、左右へ延びるバー型のステアリングハンドル６が取り付けられている。従って、運転者はステアリングハンドル６を回動操作することにより、ステアリングシャフトを回動軸として前輪２を所望の方向へ転向させることができる。ステアリングハンドル６の後方には燃料タンク７が設けられており、この燃料タンク７の後方に運転者騎乗用のシート８が設けられている。
【００２６】
ヘッドパイプ５からはメインフレーム９が若干下方に傾斜しながら後方へ延びている。このメインフレーム９の後部にはピボットフレーム１０が接続されている。前輪２と後輪３との間には、エンジンＥがメインフレーム９及びピボットフレーム１０等に支持された状態で搭載されている。エンジンＥには変速機１１が一体的に設けられている。変速機１１のアウトプットシャフト１２にはベベルギアを介してドライブシャフト１３の前端部が連結されている。ドライブシャフト１３の後端部は、後輪３の車軸１４に連結されたリヤギアケース１５に接続されている。ピボットフレーム１０とリヤギアケース１５との間には、スイングアーム１６とトルクロッド１７とが上下に並列して掛け渡されている。
【００２７】
ステアリングハンドル６の前方には走行速度やエンジン回転数等を表示するメータ装置１８が設けられている。車体は、その前部から両側にかけてエンジンＥ等を覆うようにして設けられたフロントカウリング１９ａ及びサイドカウリング１９ｂを有している。この車体の前部には、フロントカウリング１９ａに連続してヘッドライトアセンブリ２０が設けられている。ヘッドライトアセンブリ２０の上部には、走行風圧から運転者を防護するための透明の樹脂板からなるウインドスクリーン２１が配置されている。ウインドスクリーン２１は、メータ装置１８とヘッドライトアセンブリ２０との間に配設された後述するスクリーン昇降装置３０（図４及び図５）により、前下がり及び後上がりの斜め方向に昇降可能になっている。また、車体の前部の左右両側には、運転者が後方を確認するためのサイドミラー２２が取り付けられている。
【００２８】
なお、ここでは、メインフレーム９やピボットフレーム１０やスイングアーム１６やヘッドパイプ５やフロントフォーク４等を備えて自動二輪車１の骨格をなすフレーム部材と、フロントカウリング１９ａやサイドカウリング１９ｂ等を備えてフレーム部材の外側を覆うようにして設けられるカウル部材とをまとめて、自動二輪車１の車体としている。
【００２９】
次に、図２乃至図５を参照して車体の前部について説明する。図２は、車体の前部の斜視図であって、ウインドスクリーン２１が下降している状態を示している。図３は、車体の前部の斜視図であって、ウインドスクリーン２１が上昇している状態を示している。図４は、スクリーン昇降装置３０を含む車体の前部の左側面図である。図５は、このスクリーン昇降装置３０の斜視図である。なお、図４では、フロントカウリング１９ａが想像線で示されており、カウル部材の内側が透視されている。図２及び図３に示すように、車体の前部には、前述したフロントカウリング１９ａ、ヘッドライドアセンブリ２０、ウインドスクリーン２１が設けられている。
【００３０】
図４に示すように、ヘッドパイプ５には、前上がりに延設されたセンターブラケット２３が設けられ、このセンターブラケット２３の前端には、左右に延設されたカウリングステー２４が取り付けられている。センターブラケット２３は、下方に向けて延設された延設部２５を有しており、この延設部２５には前方に突出する突起２６が設けられている。この突起２６にヘッドライトアセンブリ２０のハウジング２０ａ（図２）が受容される。また、カウリングステー２４は、左右の両端部にミラー取付部２７を有しており、このミラー取付部２７には、サイドミラー２２（図１）と共にフロントカウリング１９ａが取り付けられる。
【００３１】
図４及び図５に示すように、スクリーン昇降装置３０は、カウリングステー２４の上面に前下がりの状態で着脱自在に取り付けられたベース３１と、ベース３１に前下がり及び後上がりにスライド自在に支持された可動体３５とを備える。ベース３１の左右両側部及び左右中央部の３箇所に、前後に延びる円弧状のレール３２が取り付けられている。可動体３５は、これら３つのレール３２に支持されるスライダ部３６と、３つのスライダ部３６を連結する連結部３７とを備えている。連結部３７の左右両側に連結している左右のスライダ部３６のそれぞれは、上方に延設されたスクリーン取付部３８を有している。ウインドスクリーン２１は、このスクリーン取付部３８の上端部に設けられている。また、ベース３１には、可動体３５を駆動するための駆動装置３９が設けられる。駆動装置３９は、ベース３１の背面側に取り付けられてステアリングハンドルの近傍に設けられた図示しない昇降スイッチの操作に応じて作動制御される図示しないモータと、該モータにより正逆回転駆動される回転ドラム装置３９ａと、左右両側部のレール３２の上端及び下端に設けられたプーリー３９ｂと、一端が回転ドラム装置３９ａに巻き掛けられて他端がプーリー３９ｂを介してスライダ部３６に連結されたケーブル３９ｃとを備え、モータにより回転ドラム装置３９ａが駆動されるとケーブル３９ｃが引っ張られ、スライダ部３６をレール３２に沿ってスライドさせるように構成されている。昇降スイッチが操作されると、その操作に応じてモータが駆動され、ウインドスクリーン２１は、後上がりに上昇して後傾角（ウインドスクリーン２１の延在方向と鉛直方向とが成す角）が小さくなり、前下がりに下降して後傾角が大きくなるように構成されている。なお、このように昇降スイッチの操作に応じてモータが駆動され、ウインドスクリーン２１の昇降作動を運転者により手動操作させる構成に限らず、該モータを走行速度やギヤポジション等の車両状態に応じて作動制御し、例えば走行速度が高速になるに連れてウインドスクリーン２１を上昇させる等、ウインドスクリーン２１の昇降作動を自動化するように構成してもよい。
【００３２】
図２に戻り、フロントカウリング１９ａは、ミラー取付部２７に取り付けられてヘッドライトアセンブリ２０の周囲を取り囲むようにして設けられるアッパカウル４１と、アッパカウル４１の上縁に連続し、スクリーン昇降装置３０（図４，図５）に覆い被さるようにして設けられたアッパセンタカウル４２とを備える。各カウル４１，４２は、合成樹脂から成形されている。スクリーン取付部３８（図４，図５）は、アッパセンタカウル４２の左右外側を上方に突出しており、ウインドスクリーン２１は、アッパセンタカウル４２の上側にて後傾するようにして立設されている。アッパセンタカウル４２は、平面視で略五角形状に形成されていると共に、左右中央部にて上方に隆起する隆起部４２ａを有する。隆起部４２ａは、前後に延在しており、前側に向かうにつれて左右幅が小さくなって先細りとなっている。また、アッパセンタカウル４２の下端部はアッパカウル４１に結合され、上端部はサイドカウル１９ｂ（図１）に結合されている。
【００３３】
図２及び図３に示すように、ウインドスクリーン２１の下縁と、フロントカウリング１９ａとの間には、これらに囲まれるようにして導風口４３が形成されている。ウインドスクリーン２１が後上がりに上昇すると、ウインドスクリーン２１の下縁が後方へと移動し、ウインドスクリーン２１が前下がりに下降すると、ウインドスクリーン２１の下縁が前方へと移動する。常にはフロントカウリング１９ａとウインドスクリーン２１とは上下に離れており、ウインドスクリーン２１がどのような位置にあってもこの導風口４３は閉鎖されない。但し、アッパセンタカウル４２は、上面に前述した隆起部４２ａを有し、導風口４３はこの隆起部４２ａによりその一部が画定されている。この隆起部４２ａは、前側に向かうに連れて左右幅が小さくなっているため、ウインドスクリーン２１の下縁が前方へと移動すると、導風口４３の開口面積が大きくなっていき、ウインドスクリーン２１の下縁が後方へと移動すると、導風口４３の開口面積が小さくなっていく。
【００３４】
自動二輪車１の走行時には、前方から吹き付けてくる走行風は、ウインドスクリーン２１の正面に沿って斜め後上側に流れ、更に運転者の上側を後側へと流れていく。また、走行風は、導風口４３を通ってウインドスクリーン２１の背面とアッパセンタカウル４２の上面とで囲まれた領域（以下、背面領域）４４内に導入される。そして、図１乃至図３に点線矢印Ｗで示すように、この背面領域４４内を拡散するようにして左右外側へと流れつつ、後側へと流れていく。このように運転者の前側に走行風が導入されることにより、運転者は前側に押し出されなくなる。
【００３５】
図６は、図２に示すVI−VI矢視図であって車体の前部の左側断面図である。図６に示すように、背面領域４４は、導風口４３から連なる走行風の流路となっている。この背面領域４４を画定するウインドスクリーン２１の背面とフロントカウリング１９ａ（アッパセンタカウル４２の上面）との上下方向における対向間隔は、後側に向かうに連れて大きくなっている。即ち、流路断面積が走行風の風下側に向かうに連れて大きくなっており、背面領域４４は、気流の乱れが生じ易い流れ場となっている。
【００３６】
このため、図２，図３及び図５に示すように、背面領域４４内には、背面領域４４内の気流を整流するためのダンパ４５（整流部）が設けられている。ダンパ４５は、ゴム等の弾性体から成形され、アッパセンタカウル４２の上面に粘着テープ等を利用して接着される。弾性体から成形されるダンパ４５は、アッパセンタカウル４２の上面の曲率に合わせて弾性変形し、アッパセンタカウル４２に面接触することができる。このため、粘着テープを利用してダンパ４５を容易に接着することができる。このダンパ４５は、左右一対であり、アッパセンタカウル４２の左右中心線４２Ａ（図３）に対して左右対称に配置されている。
【００３７】
図７（ａ）は、ダンパ４５の平面図であり、図７（ｂ）は、ダンパ４５の側面図である。図７（ａ）に示すように、ダンパ４５は、平断面視で略三角形状の基部４５ａと、この基部４５ａから上方に連続する突出部４５ｂとを有する。突出部４５ｂは、平断面視で略台形状に形成されており、突出部４５ｂの長辺４５ｃと基部４５ａの一辺４５ｄとが連続している。取付状態においてダンパ４５は、前側に向かうに連れて先細りとなるように配置され、突出部４５ｂの長辺４５ｃが左右外側に配置され、突出部４５ｂの短辺４５ｅが左右内側に配置される。ダンパ４５の厚さはウインドスクリーン２１がどのような位置にあってもウインドスクリーン２１と干渉しない範囲内であって、突出部４５ｂの上面をウインドスクリーン２１にできる限り近付けるように設定されている。
【００３８】
このダンパ４５を備える自動二輪車１において、背面領域４４内を左右外側に拡散するようにして流れる走行風は、左右のダンパ４５の前端に達する。ダンパ４５の前端は先細りとなっているため、走行風は、ダンパ４５の前端から左右に分かれてダンパ４５の側面に沿うようにして後側に流れていく。このようにダンパ４５の前端からは、ダンパ４５の側面４５ｆを左右中央側且つ後側に向かう気流が形成される。また、背面領域４４内において走行風がダンパ４５の側面を通過する部分の流路断面積は、ダンパ４５の前端に達するまでの部分に比べて小さくなる。このため、この部分において気流の乱れを抑えることができる。
【００３９】
なお、ダンパ４５は左右一対となっており、導風口４３から左右外側且つ後側へと向かう気流上に配置されている。このため、左右中央側へと方向を変換する気流を容易に形成することができる。
【００４０】
また、ダンパ４５は基部４５ａと突出部４５ｂとの二段構造になっている。従って、突出部４５ｂにて気流を整流するべく最適設計を行うことができる。一方、基部４５ａの底面積は突出部４５ｂよりも大きくなっており、アッパセンタカウル４２に対する取付代が大きく確保されている。このため、ダンパ４５を粘着テープで固定することができる。
【００４１】
ダンパ４５は、弾性体から成形されている。このため、たとえウインドスクリーン２１の振動が発生してダンパ４５の突出部４５ｂの上面とウインドスクリーン２１とが接触しても、その接触による衝撃が突出部４５の弾性変形によって吸収される。このため、ウインドスクリーン２１の移動を妨げないもののウインドスクリーン２１が振動すれば接触する虞があるほど、ダンパ４５をウインドスクリーン２１に近接させても、ウインドスクリーン２１がこの衝撃から保護されると共に騒音の発生を抑えることができる。
【００４２】
このように、導風口４３の開口面積を可変にするための構成と、背面領域４４内の気流を整流するダンパ４５とを備えている自動二輪車１を、本発明に係る第１実施形態として説明したが、本実施形態は必ずしも上記の構成に限られず、適宜変更可能である。
【００４３】
図８は、第１実施形態の第１の変更例を示す車体の前部の左側断面図である。図８に示すように、ウインドスクリーン２１の上面に重り５１を取り付けてもよい。このようにして重り５１を設けることにより、ウインドスクリーン２１の慣性重量が増加する。このため、気流の乱れが原因でウインドスクリーン２１を振動させるような外力が作用しても、その外力に抗して振動を抑えられる。また、アッパセンタカウル４２の上面において重り５１と上下に対向する部分に磁石５２を取り付けてもよい。そして、重り５１を磁性体から形成することにより、重り５１は、ウインドスクリーン２１と共に磁石５２が配置されている下側へと吸引される。このように、重り５１と磁石５２との間で発揮される吸引力Ｆにより、前述の外力に更に抗することができ、振動の抑制効果を高めることができる。なお、この磁石５２は、永久磁石でも電磁石でもよい。電磁石を用いれば、特定条件で励磁したり、磁力の強弱調節を行うことができ、吸引力の精密な調整が必要な場合に効果が期待できる。
【００４４】
図９は、第１実施形態の第２の変更例を示す車体の前部の左側断面図である。図９に示すように、アッパセンタカウル４２の上面に開口４２ｂを形成し、ダンパ４５をこの開口４２ｂの内部に受容可能に配置し、ウインドスクリーン２１の背面とダンパ４５の側面との間にリンク部材５３を設けてもよい。このとき、リンク部材５３は、ウインドスクリーン２１及びダンパ４５のそれぞれに対して枢着され、両者に対して揺動自在とする。このようなリンク部材５３を備える自動二輪車において、図９（ａ）に示すように、ウインドスクリーン２１が前下方に下降すると、リンク部材５３の他端が下方に位置し、これに伴い開口４２ｂに受容されているダンパ４５がアッパセンタカウル４２の下側へと退避する。これにより、背面領域４４内でのダンパ４５の突出高さが低くなる。一方、図９（ｂ）に示すように、ウインドスクリーン２１が後上方へと上昇していけば、これに伴ってリンク部材５３の他端が上方へと移動していき、開口４２ｂに受容されているダンパ４５がアッパセンタカウル４２の上側へとせり上がってくる。これにより、背面領域４４内でのダンパ４５の突出高さが高くなる。このようにダンパ４５の突出高さが高くなれば、走行風の流路断面積を小さくすることができるため、気流の乱れをより抑えることができるようになる。なお、ウインドスクリーン２１の昇降に応じてダンパ４５の突出高さを変更するとしたが、この突出高さの変更はウインドスクリーン２１の作動と独立して行わせるように構成してもよい。また、整流効果を可変にする構成であれば、突出高さを変更する構成だけでなく、ダンパの幅方向（左右方向の寸法）や形状を可変に構成してもよい。
【００４５】
図１０は、第１実施形態の第３の変更例を示すダンパの平面図である。図１０に示すように、ダンパ５５の基部５５ａの形状は図７に示した形状と同一とすると共に突出部５５ｂを略菱形状に形成し、この突出部５５ｂが前側及び後側に向かうに連れて先細りとなるように配置してもよい。この形状においては、ダンパ５５の側面５５ｆに沿って後側に流れる走行風Ｗを、先細りとなっている突出部５５ｂの後端側へと導くことができる。このため、後方へと流れる走行風Ｗを更に左右内側に導き、ダンパ５５を通過した後の気流の乱れを抑えることができ、ウインドスクリーン２１の背面に作用する走行風圧を低減することができる。
【００４６】
また、図示しないが、ダンパは、ウインドスクリーン２１の背面に接着されていてもよい。更にダンパは、アッパセンタカウル４２に一体形成してもよく、ウインドスクリーン２１に一体形成してもよい。このようにダンパを設けても、上記構成と同様にして背面領域４４内での気流を整流することができる。なお、ダンパをアッパセンタカウル４２やウインドスクリーン２１に一体形成する場合には、突出している側の端面に弾性体からなるシートが接着されていてもよい。これにより、上記構成と同様にしてウインドスクリーン２１を保護することができると共に、騒音を防止することができる。なお、ダンパの個数や形状は、背面領域４４内の気流を左右中央側に導くことができる構成であれば、必ずしも上記構成に限らず適宜変更可能である。
【００４７】
図１１は、本発明に係る第２実施形態の自動二輪車の車体の前部の左側断面図である。なお、第２実施形態は、第１実施形態に対し、ダンパ４５に替えてブロッカ１４５（遮蔽部）が設けられている点で相違する。他の構成は、スクリーン昇降装置３０やアッパセンタカウル４２に設けられた隆起部４２ａを備えている点を含めて第１実施形態と同一となっており、この同一構成部分については同一符号を付して重複説明を省略する。図１１に示すように、導風口４３が、ウインドスクリーン２１の下縁とアッパセンタカウル４２との間に同様にして形成されている。この導風口４３の背面側近傍、即ち背面領域４４の前部に、ゴム製のブロッカ１４５が設けられている。このブロッカ１４５により、導風口４３は完全に閉塞されてはいないものの、第１実施形態と比べるとその開口面積が小さくなる。
【００４８】
この自動二輪車の走行時において前方から走行風が吹き付けられると、導風口４３に達した走行風はブロッカ１４５により遮蔽されるため、本実施形態において背面領域４４内に導入される走行風の流量は、第１実施形態と比べて少なくなる。このため、ウインドスクリーン２１の背面に作用する走行風圧が第１実施形態と比べて低減され、また、背面領域内４４で気流が乱れることがあってもその気流がウインドスクリーン２１を振動させるほど大きな乱れとならない。一方で、導風口４３は完全には閉塞されておらず、運転者の前方空間と後方空間との間での気圧差が過度に大きくならない。このため、運転者が前側に押されなくなる。
【００４９】
また、ブロッカ１４５は弾性体で成形されているため、ウインドスクリーン２１やその他の部材と接触することがあっても、相手側の部材を保護することができると共に騒音が生じない。また、湾曲するアッパセンタカウル４２に容易に固定することができる。
【００５０】
以上、本発明に係る第２実施形態について説明したが、本実施形態は必ずしも上記の構成に限られず、適宜変更可能である。この第２実施形態においても、第１実施形態と同様の変更を行うことができる。即ち、ウインドスクリーン２１に重り５１を設けたり、この重り５１を磁性体から成形してアッパセンタカウル４２に磁石５２を設けてもよい。また、背面領域４４にてアッパセンタカウル４２にブロッカを設ける構成においては、アッパセンタカウル４２にブロッカを受容する開口を形成し、ウインドスクリーン２１とブロッカとの間にリンク部材を設けて構成してもよい。これにより、第１実施形態と同様に、ウインドスクリーン２１を上昇させれば、背面領域４４内でのブロッカの突出高さが高くなってブロッカにより導風口が遮蔽される領域が増加して走行風の流量を制限することができるようになり、背面領域４４内において気流の乱れが発生しにくくなってウインドスクリーン２１の振動が低減されるようになる。
【００５１】
なお、ブロッカは、導風口４３の近傍に設けられて導風口４３を通る走行風の流量が制限されるように構成されていればよく、その形状や配置は特に限定されない。例えばウインドスクリーン２１の下縁から下方に垂れるようにして襞状の弾性体を設けてもよいし、これらの組み合わせであってもよい。
【００５２】
これまで、本発明に係る第１及び第２実施形態について説明したが、本発明は前述した構成に限られない。第１実施形態では、ウインドスクリーン２１を昇降させる構成と、ダンパを設ける構成とが組み合わされ、第２実施形態では、ウインドスクリーン２１を昇降させる構成と、ブロッカを設ける構成とが組み合わされているが、これら３つの構成の組み合わせは適宜変更可能である。即ち、ウインドスクリーン２１を昇降させる構成を備える場合には、ダンパやブロッカが省略されていても、ウインドスクリーン２１の振動を低減することができる。また、ダンパやブロッカを備える場合には、ウインドスクリーン２１は固定されていても、ウインドスクリーン２１の振動を低減することができる。また、ダンパとブロッカとを両方備える構成としてもよく、上記３つの構成を全て備える構成としてもよい。さらに、第１実施形態及び第２実施形態の変更例として磁石を設ける構成を示したが、この磁石を設ける構成のみとして、ダンパやブロッカを省略し、ウインドスクリーン２１を固定式とした場合であっても、ウインドスクリーンの振動を低減することができる。
【産業上の利用可能性】
【００５３】
本発明はウインドスクリーンを備えると共にウインドスクリーンの下縁と車体との間に導風口を有してなるレジャービークルであれば、自動二輪車に限らず、不整地走行車、多目的軽量走行車両、或いは小型滑走艇等の他のレジャービークルにも適用可能である。特に、運転者が外部に開放された状態で走行を行う乗り物、言い換えると鞍乗型車両を含むオープンカーにとっては特に有効に適用することができる。
【図面の簡単な説明】
【００５４】
【図１】本発明に係る第１実施形態の自動二輪車の左側面図である。
【図２】上記自動二輪車の車体の前部の斜視図であって、ウインドスクリーンが前下方に下降している状態を示す斜視図である。
【図３】上記自動二輪車の車体の前部の斜視図であって、ウインドスクリーンが後上方に上昇している状態を示す斜視図である。
【図４】上記車体の前部の左側面図である。
【図５】上記車体の前部に設けられるスクリーン昇降装置の斜視図である。
【図６】図２のVI−VI矢視図である。
【図７】上記自動二輪車に設けられるダンパの構成を説明する図であり、（ａ）がダンパの平面図であり、（ｂ）がダンパの側面図である。
【図８】第１実施形態の第１の変更例を示す車体の前部の左側断面図である。
【図９】第１実施形態の第２の変更例を示す車体の前部の左側断面図である。
【図１０】第１実施形態の第３の変更例を示すダンパの平面図である。
【図１１】本発明に係る第２実施形態の自動二輪車の車体の前部の左側断面図である。
【符号の説明】
【００５５】
１  自動二輪車
２１  ウインドスクリーン
３０  スクリーン昇降装置
４１  アッパカウル（車体）
４２  アッパセンタカウル（車体）
４２ａ  隆起部
４３  導風口
４４  背面領域
４５，５５  ダンパ（整流部）
５１  重り
５２  磁石
１４５  ブロッカ（遮蔽部）
【図１】
2008265625.tif 000003
【図２】
2008265625.tif 000004
【図３】
2008265625.tif 000005
【図４】
2008265625.tif 000006
【図５】
2008265625.tif 000007
【図６】
2008265625.tif 000008
【図７】
2008265625.tif 000009
【図８】
2008265625.tif 000010
【図９】
2008265625.tif 000011
【図１０】
2008265625.tif 000012
【図１１】
2008265625.tif 000013